(57)【要約】【課題】電子錠のような電気機器の管理を支援する技術を提供することが望ましい。【解決手段】電子機器の動作を制御する制御装置と、制御装置と無線通信する無線中継装置と、無線中継装置を複数接続する接続接点を有する関門装置とを備え、関門装置は、通信網を介して複数の制御装置に対する信号を受信する信号受信部と、複数の制御装置のそれぞれに対して信号受信部が受信した信号を送信するべく、複数の無線中継装置を制御する中継制御部とを有し、中継制御部は、複数の無線中継装置のそれぞれが、複数の制御装のそれぞれに対して前記信号を無線送信するタイミングを異ならせるように制御する、無線伝送システムを提供する。【選択図】図３
2020178230.tif 000002
【特許請求の範囲】
【請求項１】
電子機器の動作を制御する制御装置と、
前記制御装置と無線通信する無線中継装置と、
前記無線中継装置を複数接続する接続接点を有する関門装置と
を備え、
前記関門装置は、
通信網を介して複数の前記制御装置に対する信号を受信する信号受信部と、
前記複数の制御装置のそれぞれに対して前記信号受信部が受信した信号を送信するべく、複数の前記無線中継装置を制御する中継制御部と
を有し、
前記中継制御部は、前記複数の無線中継装置のそれぞれが、前記複数の制御装置のそれぞれに対して前記信号を無線送信するタイミングを異ならせるように制御する、
無線伝送システム。
【請求項２】
前記中継制御部は、前記複数の無線中継装置のそれぞれに対して、予め定められた時間の分、タイミングをずらして前記信号を送信することにより、前記複数の無線中継装置のそれぞれが、前記複数の制御装置のそれぞれに対して前記信号を無線送信するタイミングを異ならせる、請求項１に記載の無線伝送システム。
【請求項３】
前記中継制御部は、
前記複数の無線中継装置のそれぞれに対して遅延時間を設定する遅延時間設定部
を有し、
前記中継制御部は、前記複数の無線中継装置のそれぞれに対して、それぞれに対して設定されている前記遅延時間の分、遅延させて前記信号を送信することにより、前記複数の無線中継装置のそれぞれが、前記複数の制御装置のそれぞれに対して前記信号を無線送信するタイミングを異ならせる、請求項２に記載の無線伝送システム。
【請求項４】
前記中継制御部は、前記信号を前記複数の無線中継装置に対して送信する場合に、前記接続接点が有する複数の接点のそれぞれに接続されている前記複数の無線中継装置のそれぞれに、前記接続接点が有する複数の接点の接点数の昇順番号を乗数とする遅延時間の分遅延させた時刻に前記信号を送信する、請求項３に記載の無線伝送システム。
【請求項５】
前記遅延時間は、５００ミリ秒に前記昇順番号を乗算した時間に、３０００ミリ秒と、予め定められた時間とを加算した時間である、請求項４に記載の無線伝送システム。
【請求項６】
前記遅延時間設定部は、予め定められた地点との距離がより短い前記制御装置に前記信号を送信する前記無線中継装置に対して、より短い遅延時間を設定する、請求項３から５のいずれか一項に記載の無線伝送システム。
【請求項７】
前記中継制御部は、前記信号を前記複数の無線中継装置に対して送信する場合に、前記複数の無線中継装置のそれぞれに対して、前記信号を送信する対象の前記複数の無線中継装置の数の昇順番号を乗数とする遅延時間の分遅延させた時刻に前記信号を送信する、請求項２又は３に記載の無線伝送システム。
【請求項８】
前記中継制御部は、
前記信号受信部が受信した信号を、前記複数の無線中継装置に、前記複数の制御装置に向けて無線送信させた後、前記信号を受信できなかった前記制御装置を特定する特定部
を有してよく、
前記特定部によって複数の前記制御装置が特定され、特定された前記複数の制御装置に対して前記信号を再送する場合に、前記複数の無線中継装置のそれぞれが、前記複数の制御装置のそれぞれに対して前記信号を無線送信するタイミングを異ならせるように制御する、請求項１から７のいずれか一項に記載の無線伝送システム。
【請求項９】
前記中継制御部は、前記複数の無線中継装置のそれぞれに対して、前記信号を送信するタイミングとして異なるタイミングを通知することにより、前記複数の無線中継装置のそれぞれが、前記複数の制御装置のそれぞれに対して前記信号を無線送信するタイミングを異ならせるように制御する、請求項１に記載の無線伝送システム。
【請求項１０】
前記制御装置は、電子錠である、請求項１から９のいずれか一項に記載の無線伝送システム。
【請求項１１】
前記複数の制御装置に対する信号は、前記電子錠の初期化指示の信号である、請求項１０に記載の無線伝送システム。
【請求項１２】
前記関門装置は、
前記関門装置の状態に関する第１状態情報を第１の通信路を介して管理サーバに送信する第１状態情報送信部と、
前記制御装置の状態に関する第２状態情報を第２の通信路を介して前記管理サーバに送信する第２状態情報送信部と
を有し、
前記第１状態情報送信部は、前記第２の通信路の状態をさらに前記管理サーバに送信する、請求項１から１１のいずれか一項に記載の無線伝送システム。
【請求項１３】
前記第１状態情報送信部は、前記第２の通信路の接続断を検知した場合に、前記第２状態情報を前記第１の通信路を介して前記管理サーバに送信する、請求項１２に記載の無線伝送システム。
【請求項１４】
前記第１の通信路及び前記第２の通信路は、移動体通信ネットワークを介する通信路である、請求項１２又は１３に記載の無線伝送システム。
【請求項１５】
電子機器の動作を制御する制御装置に対する信号を、通信網を介して受信する信号受信部と、
前記制御装置に対して前記信号受信部が受信した信号を送信するべく、前記制御装置と無線通信する無線中継装置を制御する中継制御部と
を備え、
前記中継制御部は、複数の前記無線中継装置のそれぞれが、複数の前記制御装置のそれぞれに対して前記信号を無線送信するタイミングを異ならせるように制御する、
関門装置。
【請求項１６】
前記中継制御部は、前記複数の無線中継装置のそれぞれに対して、予め定められた時間の分、タイミングをずらして前記信号を送信することにより、前記複数の無線中継装置のそれぞれが、前記複数の制御装置のそれぞれに対して前記信号を無線送信するタイミングを異ならせるように制御する、請求項１５に記載の関門装置。
【請求項１７】
関門装置であって、
電子機器の動作を制御する制御装置に対する信号を、前記制御装置を管理する管理サーバから受信する信号受信部と、
前記制御装置に対して前記信号受信部が受信した信号を送信するべく、前記制御装置と無線通信する無線中継装置を制御する中継制御部と、
前記関門装置の状態に関する第１状態情報を第１の通信路を介して前記管理サーバに送信する第１状態情報送信部と、
前記制御装置の状態に関する第２状態情報を第２の通信路を介して前記管理サーバに送信する第２状態情報送信部と
を備え、
前記第１状態情報送信部は、前記第２の通信路の接続断を検知した場合に、前記第２状態情報を前記第１の通信路を介して前記管理サーバに送信する、
関門装置。
【請求項１８】
コンピュータを、請求項１５から１７のいずれか一項に記載の関門装置として機能させるためのプログラム。
【請求項１９】
関門装置によって実行される制御方法であって、
電子機器の動作を制御する制御装置に対する信号を、通信網を介して受信する信号受信段階と、
前記制御装置に対して前記信号受信段階において受信した信号を送信するべく、前記制御装置と無線通信する無線中継装置を制御する中継制御段階と
を備え、
前記中継制御段階は、複数の前記無線中継装置のそれぞれが、複数の前記制御装置のそれぞれに対して前記信号を無線送信するタイミングを異ならせるように制御する、
制御方法。
【請求項２０】
関門装置によって実行される制御方法であって、
電子機器の動作を制御する制御装置に対する信号を、前記制御装置を管理する管理サーバから受信する信号受信段階と、
前記制御装置に対して、前記信号受信段階において受信した信号を送信するべく、前記制御装置と無線通信する無線中継装置を制御する中継制御段階と、
前記関門装置の状態に関する第１状態情報を第１の通信路を介して前記管理サーバに送信する送信段階と、
前記制御装置の状態に関する第２状態情報を第２の通信路を介して前記管理サーバに送信する送信段階と
前記第２の通信路の接続断を検知した場合に、前記第２状態情報を前記第１の通信路を介して前記管理サーバに送信する送信段階と、
を備える制御方法。
【発明の詳細な説明】
【技術分野】
【０００１】
本発明は、無線伝送システム、関門装置、プログラム、及び制御方法に関する。
【背景技術】
【０００２】
遠隔から解錠を行うことが可能な電子錠を管理するシステムが知られていた（例えば、特許文献１参照）。
［先行技術文献］
［特許文献］
［特許文献１］特開２０１８−１４５６０１号公報
【発明の概要】
【発明が解決しようとする課題】
【０００３】
電子錠のような電気機器の管理を支援する技術を提供することが望ましい。
【課題を解決するための手段】
【０００４】
本発明の第１の態様によれば、無線伝送システムが提供される。無線伝送システムは、電子機器の動作を制御する制御装置と、制御装置と無線通信する無線中継装置と、無線中継装置を複数接続する接続接点を有する関門装置とを備えてよい。関門装置は、通信網を介して複数の制御装置に対する信号を受信する信号受信部を有してよい。関門装置は、複数の制御装置のそれぞれに対して信号受信部が受信した信号を送信するべく、複数の無線中継装置を制御する中継制御部を有してよい。中継制御部は、複数の無線中継装置のそれぞれが、複数の制御装置のそれぞれに対して信号を無線送信するタイミングを異ならせるように制御してよい。
【０００５】
上記中継制御部は、上記複数の無線中継装置のそれぞれに対して、予め定められた時間の分、タイミングをずらして上記信号を送信することにより、上記複数の無線中継装置のそれぞれが、上記複数の制御装置のそれぞれに対して上記信号を無線送信するタイミングを異ならせてよい。上記中継制御部は、上記複数の無線中継装置のそれぞれに対して遅延時間を設定する遅延時間設定部を有してよく、上記中継制御部は、上記複数の無線中継装置のそれぞれに対して、それぞれに対して設定されている上記遅延時間の分、遅延させて上記信号を送信することにより、上記複数の無線中継装置のそれぞれが、上記複数の制御装置のそれぞれに対して上記信号を無線送信するタイミングを異ならせてよい。上記中継制御部は、上記信号を上記複数の無線中継装置に対して送信する場合に、上記接続接点が有する複数の接点のそれぞれに接続されている上記複数の無線中継装置のそれぞれに、上記接続接点が有する複数の接点の接点数の昇順番号を乗数とする遅延時間の分遅延させた時刻に上記信号を送信してよい。上記遅延時間は、５００ミリ秒に上記昇順番号を乗算した時間に、３０００ミリ秒と、予め定められた時間とを加算した時間であってよい。上記遅延時間設定部は、予め定められた地点との距離がより短い上記制御装置に上記信号を送信する上記無線中継装置に対して、より短い遅延時間を設定してよい。
【０００６】
上記中継制御部は、上記信号を上記複数の無線中継装置に対して送信する場合に、上記複数の無線中継装置のそれぞれに対して、上記信号を送信する対象の上記複数の無線中継装置の数の昇順番号を乗数とする遅延時間の分遅延させた時刻に上記信号を送信してよい。上記中継制御部は、上記信号受信部が受信した信号を、上記複数の無線中継装置に、上記複数の制御装置に向けて無線送信させた後、上記信号を受信できなかった上記制御装置を特定する特定部を有してよく、上記特定部によって複数の上記制御装置が特定され、特定された上記複数の制御装置に対して上記信号を再送する場合に、上記複数の無線中継装置のそれぞれが、上記複数の制御装置のそれぞれに対して上記信号を無線送信するタイミングを異ならせるように制御してよい。上記中継制御部は、上記複数の無線中継装置のそれぞれに対して、上記信号を送信するタイミングとして異なるタイミングを通知することにより、上記複数の無線中継装置のそれぞれが、上記複数の制御装置のそれぞれに対して上記信号を無線送信するタイミングを異ならせるように制御してよい。
【０００７】
上記制御装置は、電子錠であってよい。上記複数の制御装置に対する信号は、上記電子錠の初期化指示の信号であってよい。上記関門装置は、上記関門装置の状態に関する第１状態情報を第１の通信路を介して管理サーバに送信する第１状態情報送信部と、上記制御装置の状態に関する第２状態情報を第２の通信路を介して上記管理サーバに送信する第２状態情報送信部とを有してよく、上記第１状態情報送信部は、上記第２の通信路の状態をさらに上記管理サーバに送信してよい。上記第１状態情報送信部は、上記第２の通信路の接続断を検知した場合に、上記第２状態情報を上記第１の通信路を介して上記管理サーバに送信してよい。上記第１の通信路及び上記第２の通信路は、移動体通信ネットワークを介する通信路であってよい。
【０００８】
本発明の第２の態様によれば、関門装置が提供される。関門装置は、電子機器の動作を制御する制御装置に対する信号を、通信網を介して受信する信号受信部を備えてよい。関門装置は、制御装置に対して信号受信部が受信した信号を送信するべく、制御装置と無線通信する無線中継装置を制御する中継制御部を備えてよい。中継制御部は、複数の無線中継装置のそれぞれが、複数の制御装置のそれぞれに対して信号を無線送信するタイミングを異ならせるように制御してよい。中継制御部は、複数の無線中継装置のそれぞれに対して、予め定められた時間の分、タイミングをずらして信号を送信することにより、複数の無線中継装置のそれぞれが、複数の制御装置のそれぞれに対して信号を無線送信するタイミングを異ならせるように制御してよい。
【０００９】
本発明の第３の態様によれば、関門装置が提供される。関門装置は、電子機器の動作を制御する制御装置に対する信号を、制御装置を管理する管理サーバから受信する信号受信部を備えてよい。関門装置は、制御装置に対して信号受信部が受信した信号を送信するべく、制御装置と無線通信する無線中継装置を制御する中継制御部を備えてよい。関門装置は、関門装置の状態に関する第１状態情報を第１の通信路を介して管理サーバに送信する第１状態情報送信部を備えてよい。関門装置は、制御装置の状態に関する第２状態情報を第２の通信路を介して管理サーバに送信する第２状態情報送信部を備えてよい。第１状態情報送信部は、第２の通信路の接続断を検知した場合に、第２状態情報を第１の通信路を介して管理サーバに送信してよい。
【００１０】
本発明の第４の態様によれば、コンピュータを、上記関門装置として機能させるためのプログラムが提供される。
【００１１】
本発明の第５の態様によれば、関門装置によって実行される制御方法が提供される。制御方法は、電子機器の動作を制御する制御装置に対する信号を、通信網を介して受信する信号受信段階を備えてよい。制御方法は、制御装置に対して信号受信段階において受信した信号を送信するべく、制御装置と無線通信する無線中継装置を制御する中継制御段階を備えてよい。中継制御段階は、複数の無線中継装置のそれぞれが、複数の制御装置のそれぞれに対して信号を無線送信するタイミングを異ならせるように制御してよい。
【００１２】
本発明の第６の態様によれば、関門装置によって実行される制御方法が提供される。制御方法は、電子機器の動作を制御する制御装置に対する信号を、制御装置を管理する管理サーバから受信する信号受信段階を備えてよい。制御方法は、制御装置に対して、信号受信段階において受信した信号を送信するべく、制御装置と無線通信する無線中継装置を制御する中継制御段階を備えてよい。制御方法は、関門装置の状態に関する第１状態情報を第１の通信路を介して管理サーバに送信する送信段階を備えてよい。制御方法は、制御装置の状態に関する第２状態情報を第２の通信路を介して管理サーバに送信する送信段階を備えてよい。制御方法は、第２の通信路の接続断を検知した場合に、第２状態情報を第１の通信路を介して管理サーバに送信する送信段階を備えてよい。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】無線伝送システム１０の一例を概略的に示す。
【図２】ドア３０に設置された電子錠４００の一例を概略的に示す。
【図３】無線伝送システム１０による処理の流れの一例を概略的に示す。
【図４】関門装置１００による定常監視処理を説明するための説明図である。
【図５】関門装置１００の機能構成の一例を概略的に示す。
【図６】関門装置１００による処理について説明するための説明図である。
【図７】関門装置１００として機能するコンピュータ１２００のハードウェア構成の一例を概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、無線伝送システム１０の一例を概略的に示す。無線伝送システム１０は、関門装置１００、無線中継装置２００、及び制御装置３００を備える。
【００１７】
制御装置３００は、電子機器３０６の動作を制御する。電子機器３０６は、どのような電子機器であってもよい。本実施形態では、制御装置３００及び電子機器３０６が、いわゆる電子錠である場合を主に例に挙げて説明する。
【００１８】
制御装置３００は、外部と無線通信する無線送受信部３０２と、電子機器３０６の動作を制御する動作制御部３０４とを有する。動作制御部３０４は、錠を有する電子機器３０６を制御することによって、解錠及び施錠等を行う。
【００１９】
制御装置３００は、管理サーバ８０によって管理される。管理サーバ８０は、制御装置３００を管理するためのアプリケーション（アプリと記載する場合がある。）のサービスを提供してよい。制御装置３００は、例えば、管理サーバ８０によって送信された解錠信号に従って解錠を行う。また、制御装置３００は、例えば、管理サーバ８０によって送信された施錠信号に従って施錠を行う。
【００２０】
関門装置１００は、管理サーバ８０と制御装置３００との通信を中継する。関門装置１００は、ネットワーク７０を介して管理サーバ８０と通信する。ネットワーク７０は、移動体通信ネットワークを含む。移動体通信ネットワークは、３Ｇ（３ｒｄ  Ｇｅｎｅｒａｔｉｏｎ）通信方式、ＬＴＥ（Ｌｏｎｇ  Ｔｅｒｍ  Ｅｖｏｌｕｔｉｏｎ）通信方式、５Ｇ（５ｔｈ  Ｇｅｎｅｒａｔｉｏｎ）通信方式、及び６Ｇ（６ｔｈ  Ｇｅｎｅｒａｔｉｏｎ）通信方式以降の通信方式のいずれに準拠していてもよい。ここでは、移動体通信ネットワークがＬＴＥ通信方式に準拠している場合を例に挙げて説明する。関門装置１００は、無線基地局を介して移動体通信ネットワークにアクセスしてよい。ネットワーク７０は、インターネットを含んでもよい。
【００２１】
関門装置１００は、ゲートウェイ１０２と、ハブ１０４とを有する。ゲートウェイ１０２は、管理サーバ８０の指示に従って、無線中継装置２００を介して、制御装置３００に対して信号を送信する。ハブ１０４は、無線中継装置２００を複数接続する。ハブ１０４は、接続接点の一例であってよい。関門装置１００がハブ１０４を有さずに、ハブ１０４が関門装置１００の外部に配置されてもよい。
【００２２】
無線中継装置２００は、制御装置３００と無線通信する。無線中継装置２００は、いわゆる特定小出力無線局であってよい。無線中継装置２００は、関門装置１００から受信した信号を、制御装置３００に対して無線送信する。また、無線中継装置２００は、制御装置３００から受信した信号を関門装置１００に送信する。
【００２３】
図２は、ドア３０に設置された電子錠４００の一例を概略的に示す。電子錠４００は、外部操作部４１０及び錠部４２０を備える。外部操作部４１０は、制御装置３００の一例であってよい。錠部４２０は、電子機器３０６の一例であってよい。
【００２４】
外部操作部４１０は、例えば、無線中継装置２００から解錠信号を受信した場合に、錠部４２０を解錠する。また、例えば、外部操作部４１０は、無線中継装置２００から施錠信号を受信した場合に、錠部４２０を施錠する。
【００２５】
また、例えば、外部操作部４１０は、無線中継装置２００から暗証番号を受信した場合に、受信した暗証番号を設定する。外部操作部４１０は、テンキー４１２を用いて入力された番号と、設定されている暗証番号とが一致した場合に、錠部４２０を解錠してよい。
【００２６】
また、例えば、外部操作部４１０は、無線中継装置２００からカードの認証情報を受信した場合に、受信した認証情報を設定する。外部操作部４１０は、カードリーダ４１４を介して入力されたカード情報と、設定されている認証情報とから、認証可と判定した場合に、錠部４２０を解錠してよい。
【００２７】
管理サーバ８０は、例えば、複数の制御装置３００のそれぞれに対する暗証番号の設定信号を関門装置１００に送信する。関門装置１００は、複数の制御装置３００のそれぞれに対応する複数の無線中継装置２００のそれぞれに、暗証番号の設定信号を無線送信させる。
【００２８】
この場合に、複数の無線中継装置２００の位置関係によって、無線干渉が発生して、複数の無線中継装置２００の少なくともいずれかについて、暗証番号の設定がエラーになってしまう場合がある。例えば、複数の制御装置３００が、ホテルの各部屋のドアに設置されている場合、隣接する部屋に設置された複数の制御装置３００への信号の間で無線干渉が発生して、制御装置３００が正常に信号を受信できない場合がある。エラーの発生に応じて、関門装置１００が設定信号を再送した場合であっても、再度無線干渉が発生して、再エラーになってしまう場合があり、制御装置３００の正常な運用の妨げとなってしまう場合がある。
【００２９】
本実施形態に係る関門装置１００は、このような無線干渉の発生を抑制するための機能を有する。関門装置１００は、複数の無線中継装置２００のそれぞれが、複数の制御装置３００のそれぞれに対して信号を無線送信するタイミングを異ならせるように制御する。
【００３０】
関門装置１００は、例えば、複数の無線中継装置２００のそれぞれに対して異なる遅延時間を設定し、管理サーバ８０から受信した信号を複数の無線中継装置２００に送信させる場合に、それぞれの遅延時間の分、遅延させて、信号を送信させる。これにより、複数の無線中継装置２００による信号の無線送信のタイミングを異ならせることができ、無線干渉が発生する可能性を低減することができる。
【００３１】
図３は、無線伝送システム１０による処理の流れの一例を概略的に示す。ここでは、管理サーバ８０が、複数の制御装置３００に対する暗証番号の設定信号を送信した場合の処理の流れを概略的に説明する。
【００３２】
ステップ（ステップをＳと省略して記載する場合がある。）１０２では、管理サーバ８０が、複数の制御装置３００のそれぞれに対する暗証番号の設定信号を関門装置１００に送信する。Ｓ１０４では、関門装置１００が、複数の制御装置３００のそれぞれに対応する複数の無線中継装置２００に設定信号を送信する。
【００３３】
Ｓ１０６では、複数の無線中継装置２００のそれぞれが、関門装置１００から受信した設定信号を、それぞれに対応する制御装置３００に送信する。ここでは、複数の制御装置３００のうち２つ以上の制御装置３００に、無線干渉によって当該設定信号が到達しなかったものとして説明を続ける。
【００３４】
無線中継装置２００は、Ｓ１０６において設定信号を送信してから、予め定められた時間が経過するまでの間に制御装置３００からの応答を受信しなかったことに応じて、コントロールエラーが発生したと判断する。Ｓ１０８では、コントロールエラーが発生したと判定した無線中継装置２００が、関門装置１００に対してコントロールエラーを送信する。
【００３５】
Ｓ１１０では、関門装置１００が、コントロールエラーを送信した複数の無線中継装置２００のそれぞれに対する遅延時間を設定する。Ｓ１１２では、関門装置１００が、複数の無線中継装置２００のそれぞれに対して、それぞれの遅延時間の分待機した後、設定信号を再送する。これにより、無線干渉が発生した２つ以上の無線中継装置２００のそれぞれの送信タイミングを異ならせることができ、無線干渉が再度発生してしまうことを防止できる。
【００３６】
Ｓ１１４では、複数の無線中継装置２００のそれぞれが、それぞれに対応する制御装置３００に設定信号を無線送信する。ここでは、無線干渉が発生せずに、複数の制御装置３００が設定信号を受信できたものとして説明を続ける。
【００３７】
Ｓ１１６では、複数の制御装置３００のそれぞれが、暗証番号の設定完了を示す応答を、それぞれに対応する無線中継装置２００に送信する。Ｓ１１８では、複数の無線中継装置２００のそれぞれが、設定完了を示す応答を関門装置１００に送信する。Ｓ１２０では、関門装置１００が、受信した設定完了を示す応答を管理サーバ８０に送信する。
【００３８】
図４は、関門装置１００による定常監視処理を説明するための説明図である。本実施形態に係る関門装置１００は、関門装置１００の状態及び制御装置３００の状態のそれぞれを定常監視して管理サーバ８０に報告する定常監視処理を実行してよい。
【００３９】
関門装置１００は、例えば、予め定められた第１の時間毎に、関門装置１００の状態を示す状態情報を管理サーバ８０に送信する。第１の時間は、例えば、１０分等、任意に設定可能であってよく、変更可能であってよい。
【００４０】
また、関門装置１００は、無線中継装置２００を介した制御装置３００との通信を、予め定められた第２の時間継続して行わなかった場合に、制御装置３００の状態を示す状態情報を管理サーバ８０に送信する。第２の時間は、第１の時間よりも長い時間であってよい。例えば、第２の時間として、３時間等の時間が設定される。第２の時間は、任意に設定可能であってよく、変更可能であってよい。
【００４１】
関門装置１００は、例えば、無線基地局を介して、ネットワーク７０に配置されたＩｏＴ−ＰＦ（Ｉｎｔｅｒｎｅｔ  ｏｆ  Ｔｈｉｎｇ−ＰｌａｔＦｏｒｍ）９０との間で確立した通信路１５２及び通信路１５４を介して、関門装置１００の状態情報及び制御装置３００の状態情報を管理サーバ８０に送信する。関門装置１００は、例えば、１つのＬＴＥ通信回線上に、アプリレイヤにおける２つのセッションである通信路１５２及び通信路１５４を確立して、通信路１５２を介して関門装置１００の状態情報を送信し、通信路１５４を介して制御装置３００の状態情報を送信する。通信路１５２及び通信路１５４は、例えば、ＭＱＴＴ（Ｍｅｓｓａｇｅ  Ｑｕｅｕｅｉｎｇ  Ｔｅｌｅｍｅｔｒｙ  Ｔｒａｎｓｐｏｒｔ）に準拠した通信路であってよい。なお、これに限らず、通信路１５２及び通信路１５４は、他の任意の通信プロトコルに準拠した通信路であってもよい。通信路１５２は、第１の通信路の一例であってよい。通信路１５４は、第２の通信路の一例であってよい。
【００４２】
関門装置１００の状態情報は、例えば、関門装置１００による無線基地局からの電波受信強度を含む。また、関門装置１００の状態情報は、例えば、関門装置１００のＣＰＵ（Ｃｅｎｔｒａｌ  Ｐｒｏｃｅｓｓｉｎｇ  Ｕｎｉｔ）の温度等の、関門装置１００のハードウェアの状態を示す情報を含む。また、関門装置１００の状態情報は、例えば、関門装置１００にインストールされているアプリの状態を示す情報を含む。これらに限らず、関門装置１００の状態情報は、関門装置１００の状態に関する任意の情報を含み得る。
【００４３】
制御装置３００の状態情報は、例えば、無線中継装置２００を介した関門装置１００と制御装置３００との通信の生死状態を含む。また、例えば、制御装置３００の状態情報は、制御装置３００が電子機器３０６を施錠しているか施錠していないかを示す情報を含む。また、例えば、制御装置３００の状態情報は、制御装置３００が設置されているドアが開いているか閉まっているかを示す情報を含む。これらに限らず、制御装置３００の状態情報は、制御装置３００の状態に関する任意の情報を含み得る。
【００４４】
関門装置１００は、通信路１５４の状態を示す状態情報を、関門装置１００の状態情報とともに、通信路１５２を介して管理サーバ８０に送信してもよい。通信路１５４を介した制御装置３００の状態情報の送信間隔よりも短い送信間隔で送信する通信路１５２を介した関門装置１００の状態情報とともに、通信路１５４の状態情報を送信するよう構成することにより、通信路１５４の状態の変化を早期に管理サーバ８０に知得させることができる。
【００４５】
上述したように、関門装置１００が定期的に関門装置１００の状態情報及び制御装置３００の状態情報を管理サーバ８０に送信することによって、管理サーバ８０に、関門装置１００の状態及び制御装置３００の状態を適切に把握させることができるが、例えば、通信路１５４が切断されてしまうなど、通信路１５４による情報送信に支障が発生した場合に、制御装置３００の状態が管理サーバ８０に通知されなくなると、サービスに支障が生じるおそれがある。本実施形態に係る関門装置１００は、通信路１５４の接続断を検知する等、通信路１５４による情報の送信に支障が生じたことを検知した場合に、制御装置３００の状態情報を、通信路１５２を介して送信してよい。これにより、例えば、通信路１５４が何らかの理由によって切断された場合に、管理サーバ８０が制御装置３００の状態を把握できなくなることを防止できる。
【００４６】
また、関門装置１００は、通信路１５２の接続断を検知する等、通信路１５２による情報の送信に支障が生じたことを検知した場合に、関門装置１００の状態情報を、通信路１５４を介して送信してよい。
【００４７】
図５は、関門装置１００の機能構成の一例を概略的に示す。関門装置１００は、サーバ通信部１１０、中継制御部１２０、状態情報取得部１３０、及び状態管理部１４０を備える。なお、関門装置１００がこれらの全ての構成を備えることは必須とは限らない。
【００４８】
サーバ通信部１１０は、ネットワーク７０を介して管理サーバ８０と通信する。サーバ通信部１１０は、信号受信部１１２を有する。
【００４９】
信号受信部１１２は、ネットワーク７０を介して、管理サーバ８０から、制御装置３００に対する信号を受信する。ネットワーク７０は、通信網の一例であってよい。信号受信部１１２は、管理サーバ８０から、電子機器３０６を制御する信号を受信してよい。
【００５０】
信号受信部１１２は、例えば、電子機器３０６を解錠する解錠信号を受信する。また、例えば、信号受信部１１２は、電子機器３０６を施錠する施錠信号を受信する。また、例えば、信号受信部１１２は、暗証番号の設定信号を受信する。また、例えば、信号受信部１１２は、暗証番号の解除信号を受信する。また、例えば、信号受信部１１２は、認証情報の設定信号を受信する。また、例えば、信号受信部１１２は、認証情報の解除信号を受信する。また、例えば、信号受信部１１２は、制御装置３００の初期化指示の信号を受信する。
【００５１】
中継制御部１２０は、無線中継装置２００を制御する。中継制御部１２０は、例えば、無線中継装置２００に、制御装置３００に対して信号を無線送信させる。中継制御部１２０は、無線中継装置２００が制御装置３００から無線により受信した信号を無線中継装置２００から受信してよい。
【００５２】
中継制御部１２０は、複数の制御装置３００のそれぞれに対して信号受信部１１２が受信した信号を送信するべく、複数の無線中継装置２００を制御してよい。中継制御部１２０は、複数の無線中継装置２００のそれぞれが、複数の制御装置３００のそれぞれに対して信号を無線送信するタイミングを異ならせるように制御してよい。
【００５３】
中継制御部１２０は、例えば、複数の無線中継装置２００のそれぞれに対して、予め定められた時間の分、タイミングをずらして信号を送信することにより、複数の無線中継装置２００のそれぞれが、複数の制御装置３００のそれぞれに対して信号を無線送信するタイミングを異ならせる。
【００５４】
中継制御部１２０は、遅延時間設定部１２２を有する。遅延時間設定部１２２は、複数の無線中継装置２００のそれぞれに対して遅延時間を設定する。遅延時間設定部１２２は、例えば、複数の無線中継装置２００のそれぞれに、ハブ１０４が有する複数の接点の接点数の昇順番号を乗数とする遅延時間を設定する。中継制御部１２０は、複数の無線中継装置２００のそれぞれに、ハブ１０４が有する複数の接点の接点数の昇順番号を乗数とする遅延時間の分遅延させた時刻に信号を送信してよい。
【００５５】
遅延時間設定部１２２は、例えば、複数の無線中継装置２００のそれぞれに、無線中継装置２００が接続されているハブ１０４のポート番号に基づいて決定した遅延時間を設定する。遅延時間設定部１２２は、例えば、５００ミリ秒にポート番号を乗算し、３０００ミリ秒と、予め定められた時間とを加算した時間を、遅延時間として設定する。具体例として、遅延時間設定部１２２は、下記の数式１を用いて、複数の無線中継装置２００のそれぞれの遅延時間を設定する。
【００５６】
【数１】
2020178230.tif 000003
【００５７】
このように、ポート番号に基づいて遅延時間を設定することによって、複数の無線中継装置２００のそれぞれに対して異なる遅延時間を設定することができる。また、ランダムな時間を加算することによって、例えば、２つ以上のハブ１０４が用いられる場合に、第１のハブ１０４のポート番号１に接続された無線中継装置２００に設定される遅延時間と、第２のハブ１０４のポート番号１に接続された無線中継装置２００に設定される遅延時間とが同一になってしまうことを防止でき、これらの無線中継装置２００同士で無線干渉が発生してしまうことを防止できる。
【００５８】
中継制御部１２０は、信号受信部１１２が受信した信号を複数の無線中継装置２００に対して送信する場合に、複数の無線中継装置２００のそれぞれに対して、信号を送信する対象の複数の無線中継装置２００の数の昇順番号を乗数とする遅延時間の分遅延させた時刻に信号を送信してもよい。遅延時間設定部１２２は、例えば、信号を送信する対象が６台の無線中継装置２００である場合、６台の無線中継装置２００のそれぞれに、１から６の番号を乗数とする遅延時間を設定する。また、遅延時間設定部１２２は、例えば、信号を送信する対象が４台の無線中継装置２００である場合、４台の無線中継装置２００のそれぞれに１から４の番号を乗数とする遅延時間を設定する。
【００５９】
これにより、ポート番号を用いる場合と比較して、遅延時間を短くし得る。例えば、ポート番号７の無線中継装置２００とポート番号８の無線中継装置２００とに信号を送信する場合、ポート番号を用いると、７と８を乗数とする遅延時間が設定されることになるが、信号を送信する対象の数を用いることによって、１と２を乗数とする遅延時間が設定されることになり、遅延時間を短くし得る。
【００６０】
中継制御部１２０は、特定部１２４を有する。特定部１２４は、信号受信部１１２が受信した信号を、複数の無線中継装置２００に複数の制御装置３００に向けて無線送信させた後、当該信号を受信できなかった制御装置３００を特定する。特定部１２４は、例えば、複数の無線中継装置２００のそれぞれに複数の制御装置３００のそれぞれに向けて信号を無線送信させた後、予め定められた時間を経過するまでの間に応答を受信しなかった場合に、応答を受信しなかった制御装置３００を、信号を受信できなかった制御装置３００として特定する。
【００６１】
中継制御部１２０は、複数の無線中継装置２００のそれぞれに対して、信号を送信するタイミングとして異なるタイミングを通知することにより、複数の無線中継装置２００のそれぞれが、複数の制御装置３００のそれぞれに対して信号を無線送信するタイミングを異ならせるように制御してもよい。中継制御部１２０は、例えば、遅延時間設定部１２２によって複数の無線中継装置２００のそれぞれに対して設定された遅延時間を複数の無線中継装置２００のそれぞれに送信し、信号を受信してから、遅延時間が経過したタイミングで、信号を制御装置３００に送信するように複数の無線中継装置２００を制御する。
【００６２】
状態情報取得部１３０は、制御装置３００の状態情報を取得する。状態情報取得部１３０は、例えば、無線中継装置２００を介した制御装置３００との通信が予め定められた第２の時間継続して行われなかった場合に、制御装置３００の状態情報を取得する。状態情報取得部１３０は、例えば、無線中継装置２００を介した制御装置３００との通信が予め定められた第２の時間継続して行われなかった場合に、制御装置３００の状態の確認要求を、無線中継装置２００に制御装置３００に対して送信させる。状態情報取得部１３０は、制御装置３００によって送信された制御装置３００の状態情報を中継制御部１２０から取得してよい。状態情報取得部１３０は、確認要求に応じて制御装置３００が送信した制御装置３００の状態情報を、中継制御部１２０から取得してよい。状態情報取得部１３０は、関門装置１００が、制御装置３００の状態を監視する監視部を有している場合には、当該監視部から制御装置３００の状態を取得してもよい。
【００６３】
状態管理部１４０は、関門装置１００の状態を管理する。状態管理部１４０は、例えば、関門装置１００による無線基地局からの電波受信強度を管理する。また、状態管理部１４０は、例えば、関門装置１００のＣＰＵの温度等の、関門装置１００のハードウェアの状態を管理する。また、状態管理部１４０は、例えば、関門装置１００において動作するアプリの状態を管理する。
【００６４】
サーバ通信部１１０は、状態情報送信部１１４及び状態情報送信部１１６を有する。状態情報送信部１１４は、状態管理部１４０によって管理されている関門装置１００の状態情報を、通信路１５２を介して管理サーバ８０に送信する。状態情報送信部１１４は、予め定められた第１の時間毎に、関門装置１００の状態情報を管理サーバ８０に送信してよい。状態情報送信部１１４は、通信路１５４の状態を示す状態情報を、通信路１５２を介して管理サーバ８０に送信してもよい。状態情報送信部１１４は、第１状態情報送信部の一例であってよい。
【００６５】
状態情報送信部１１６は、状態情報取得部１３０によって取得された制御装置３００の状態情報を、通信路１５４を介して管理サーバ８０に送信する。状態情報送信部１１６は、無線中継装置２００を介した制御装置３００との通信が予め定められた第２の時間継続して行われなかった場合に、制御装置３００の状態情報を管理サーバ８０に送信してよい。状態情報送信部１１６は、第２状態情報送信部の一例であってよい。
【００６６】
状態情報送信部１１４は、通信路１５４の接続断を検知した場合等、通信路１５４による情報の送信に支障が生じたことを検知した場合に、制御装置３００の状態情報を、通信路１５２を介して管理サーバ８０に送信してもよい。また、状態情報送信部１１６は、通信路１５２の接続断を検知した場合等、通信路１５２による情報の送信に支障が生じたことを検知した場合に、関門装置１００の状態情報を、通信路１５４を介して管理サーバ８０に送信してもよい。
【００６７】
図６は、遅延時間設定部１２２による処理について説明するための説明図である。ここでは、ホテル５００の８つの部屋のそれぞれに制御装置３００が設置されている場合を例示している。
【００６８】
遅延時間設定部１２２は、予め定められた地点との距離がより短い制御装置３００に信号を送信する無線中継装置２００に対して、より短い遅延時間を設定してよい。遅延時間設定部１２２は、図６に示す例において、フロント５０２との距離がより短い制御装置３００に信号を送信する無線中継装置２００に対して、より短い遅延時間を設定する。フロント５０２との距離は、移動距離であってよい。フロント５０２との距離は、直線距離であってもよい。
【００６９】
例えば、遅延時間設定部１２２は、ルームＡ５１１に設置されている制御装置３００に信号を送信する無線中継装置２００に対して最も短い遅延時間を設定し、ルームＨ５１８、ルームＢ５１２、ルームＧ５１７、ルームＣ５１３、ルームＦ５１６、ルームＤ５１４、ルームＥ５１５の順に長い遅延時間を設定する。
【００７０】
これにより、例えば、フロント５０２でチェックイン手続を行ったことに応じて、制御装置３００の暗証番号を設定する場合において、フロント５０２からの距離がより短い、例えば、ルームＡ５１１の制御装置３００に対する暗証番号の送信が遅れることによって、ルームＡ５１１の利用者がルームＡ５１１に到着するまでに暗証番号の設定が終わらないという事態が発生する可能性を低減することができる。
【００７１】
図７は、関門装置１００として機能するコンピュータ１２００のハードウェア構成の一例を概略的に示す。コンピュータ１２００にインストールされたプログラムは、コンピュータ１２００を、本実施形態に係る装置の１又は複数の「部」として機能させ、又はコンピュータ１２００に、本実施形態に係る装置に関連付けられるオペレーション又は当該１又は複数の「部」を実行させることができ、及び／又はコンピュータ１２００に、本実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【００７２】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、ＤＶＤドライブ１２２６、及びＩＣカードドライブのような入出力ユニットを含み、それらは入出力コントローラ１２２０を介してホストコントローラ１２１０に接続されている。ＤＶＤドライブ１２２６は、ＤＶＤ−ＲＯＭドライブ及びＤＶＤ−ＲＡＭドライブ等であってよい。記憶装置１２２４は、ハードディスクドライブ及びソリッドステートドライブ等であってよい。コンピュータ１２００はまた、ＲＯＭ１２３０及びキーボードのようなレガシの入出力ユニットを含み、それらは入出力チップ１２４０を介して入出力コントローラ１２２０に接続されている。
【００７３】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。
【００７４】
通信インタフェース１２２２は、ネットワークを介して他の電子デバイスと通信する。記憶装置１２２４は、コンピュータ１２００内のＣＰＵ１２１２によって使用されるプログラム及びデータを格納する。ＤＶＤドライブ１２２６は、プログラム又はデータをＤＶＤ−ＲＯＭ１２２７等から読み取り、記憶装置１２２４に提供する。ＩＣカードドライブは、プログラム及びデータをＩＣカードから読み取り、及び／又はプログラム及びデータをＩＣカードに書き込む。
【００７５】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをＵＳＢポート、パラレルポート、シリアルポート、キーボードポート、マウスポート等を介して、入出力コントローラ１２２０に接続してよい。
【００７６】
プログラムは、ＤＶＤ−ＲＯＭ１２２７又はＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【００７７】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、ＤＶＤ−ＲＯＭ１２２７、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【００７８】
また、ＣＰＵ１２１２は、記憶装置１２２４、ＤＶＤドライブ１２２６（ＤＶＤ−ＲＯＭ１２２７）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００７９】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【００８０】
上で説明したプログラム又はソフトウエアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【００８１】
本実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【００８２】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【００８３】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【００８４】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【００８５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００８６】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００８７】
１０  無線伝送システム、３０  ドア、７０  ネットワーク、８０  管理サーバ、１００  関門装置、１０２  ゲートウェイ、１０４  ハブ、１１０  サーバ通信部、１１２  信号受信部、１１４  状態情報送信部、１１６  状態情報送信部、１２０  中継制御部、１２２  遅延時間設定部、１２４  特定部、１３０  状態情報取得部、１４０  状態管理部、１５２  通信路、１５４  通信路、２００  無線中継装置、３００  制御装置、３０２  無線送受信部、３０４  動作制御部、３０６  電子機器、４００  電子錠、４１０  外部操作部、４１２  テンキー、４１４  カードリーダ、４２０  錠部、５０２  フロント、５１１  ルームＡ、５１２  ルームＢ、５１３  ルームＣ、５１４  ルームＤ、５１５  ルームＥ、５１６  ルームＦ、５１７  ルームＧ、５１８  ルームＨ、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２２６  ＤＶＤドライブ、１２２７  ＤＶＤ−ＲＯＭ、１２３０  ＲＯＭ、１２４０  入出力チップ
【図１】
2020178230.tif 000004
【図２】
2020178230.tif 000005
【図３】
2020178230.tif 000006
【図４】
2020178230.tif 000007
【図５】
2020178230.tif 000008
【図６】
2020178230.tif 000009
【図７】
2020178230.tif 000010